(57)【要約】【課題】情報提供システムにかかるコストを増大することなく、走行開始時から情報を利用可能な車両用情報通信装置、ナビゲーション装置、情報配信システム及び情報配信サーバを提供すること。【解決手段】他車両Ｄ及び路側装置１１から情報を受信する車両用情報通信装置５０において、車両Ｃの利用予定情報を記憶する車両利用予定情報記憶部４１と、路側装置１１の通信エリア外に駐車した状態で、利用予定情報が有する出発時刻の所定時間前に、他車両Ｄから情報を受信する車車間通信手段３１と、受信した情報を記憶する情報記憶部４２と、を有することを特徴とする。【選択図】図１
2009116579.tif 000002
【特許請求の範囲】
【請求項１】
他車両及び路側装置から情報を受信する車両用情報通信装置において、
車両の利用予定情報を記憶する車両利用予定情報記憶部と、
前記路側装置の通信エリア外に駐車した状態で、前記利用予定情報が有する出発時刻の所定時間前に、他車両から前記情報を受信する車車間通信手段と、
受信した前記情報を記憶する情報記憶部と、
を有することを特徴とする車両用情報通信装置。
【請求項２】
前記車両利用予定情報記憶部に記憶された前記利用予定情報が所定時間以上先の出発時刻を有するか、又は、前記利用予定情報若しくは出発時刻が記憶されていない場合、
前記車車間通信手段は、定期的に他車両から前記情報を受信する、
ことを特徴とする請求項１記載の車両用情報通信装置。
【請求項３】
前記利用予定情報が目的地を有する場合、
前記車車間通信手段は、前記目的地までの経路の探索対象となる道路の前記情報を受信し、
受信した情報に基づき前記目的地までの経路を探索する、
ことを特徴とする請求項１記載の車両用情報通信装置。
【請求項４】
前記情報は、リンク情報に対応づけた渋滞情報、旅行時間情報又は交通規制情報である、ことを特徴とする請求項１〜３いずれか１項記載の車両用情報通信装置。
【請求項５】
請求項１〜４いずれか記載の車両用情報通信装置と、
自車位置を検出する位置検出手段と、
道路地図を記憶する道路地図データベースと、
自車位置周辺の道路地図を表示する表示装置と、
を有することを特徴とするナビゲーション装置。
【請求項６】
路側装置から情報を受信する複数の車両と、前記車両から受信した情報を車両に配信するサーバとを有する情報配信システムであって、
前記サーバは、
前記路側装置の通信エリア外の、所定のエリアに侵入した車両から前記情報を受信する受信手段と、
受信した前記情報を記憶する情報データベースと、
前記エリア内に存在する車両による要求に応じて前記情報データベースに記憶された前記情報を当該車両に送信する送信手段と、を有し、
前記車両は、  
前記エリアに侵入した場合、前記サーバに前記情報を送信する送信手段と、
前記エリアを離脱するまでに前記サーバから前記情報を受信する受信手段と、を有する、
ことを特徴とする情報配信システム。
【請求項７】
路側装置から情報を受信する複数の車両から、前記情報を受信して該情報を車両に配信する情報配信サーバであって、
前記路側装置の通信エリア外の、所定のエリアに侵入した車両から前記情報を受信する受信手段と、
受信した前記情報を記憶する情報データベースと、
前記エリア内に存在する車両からの要求に応じて前記情報データベースに記憶された前記情報を当該車両に送信する送信手段と、を有し、
前記送信手段は、前記エリアを離脱するまでに、車両に前記情報を送信する、
ことを特徴とする情報配信サーバ。
【請求項８】
路側装置から情報を受信する車両用情報通信装置であって、
前記路側装置の通信エリア外の、所定のエリアに侵入した車両から前記情報を受信する受信手段と、受信した前記情報を記憶する情報データベースと、前記エリア内に存在する車両からの要求に応じて前記情報データベースに記憶された前記情報を当該車両に送信する送信手段と、を有するサーバに、
前記エリアに侵入した場合、前記情報を送信する送信手段と、
前記サーバから、前記エリアを離脱するまでに前記情報を受信する受信手段と、
を有することを特徴とする車両用情報通信装置。
【発明の詳細な説明】
【技術分野】
【０００１】
本発明は、情報を受信する車両用情報通信装置等に関し、特に、通信エリアでのみ受信可能な情報を通信エリア外で受信する車両用情報通信装置、ナビゲーション装置、情報配信システム及び情報配信サーバに関する。
【背景技術】
【０００２】
渋滞情報や交通規制などの車両の利便性を向上させる交通情報を路上で配信するシステムが実用化されている。例えば、ＶＩＣＳ（Vehicle  Information  and  Communication  System）では、ＶＩＣＳセンターで編集、処理された交通情報をリアルタイムに送信し、車両のカーナビゲーションがそれを受信して経路探索や目的地までの到着予想時間の算出に利用している。
【０００３】
しかしながら、ＶＩＣＳによる交通情報が配信されるのは主要な道路に限られ、走行可能な道路に比べるとＶＩＣＳによる交通情報を受信可能な道路の方が少ない。そこで、ＶＩＣＳセンターが配信した交通情報を車車間通信で送受信する技術が提案されている（例えば、特許文献１参照。）。特許文献１には、ＶＩＣＳセンターが配信した交通情報を各車両が車車間通信で送受信すると共に、送受信した交通情報の時間情報を比較して、新しい交通情報をもっている車両から古い交通情報をもっている車両に交通情報を送信する技術が記載されている。これにより、ＶＩＣＳによる交通情報が配信されない道路を走行している車両でもＶＩＣＳセンターが配信した交通情報を利用することができるとしている。
【０００４】
また、交通情報を配信するシステムとして、サーバが携帯電話網などを介して各車両に個別に交通情報を配信するサーバ型システムが提案されている。サーバ型システムでは、各車両が走行した道路の交通情報をサーバが集計し、それを各車両に配信するので車両が走行可能な道路であれば交通情報を配信することができる。
【特許文献１】特開２００３−９９８８８号公報
【発明の開示】
【発明が解決しようとする課題】
【０００５】
しかしながら、特許文献１に記載の技術では、走行を開始して自車両に必要な交通情報を記憶した車両と、車車間通信できる程度に接近するまで所望の交通情報を受信できない。このため、例えばイグニッションオンの直後などＶＩＣＳによる交通情報の提供エリアに車両が駐車されていない状態では、交通情報を反映した経路案内等が困難となるという問題がある。
【０００６】
また、サーバ型システムでは交通情報の配信が可能な道路数が多いため、車両からサーバへの問い合わせも増大しサーバの負荷が増大するという問題がある。また、サーバ１台当たりの車両の数が増大するにつれ、サーバの負荷が増大することにもなる。このため、サーバ型システムにおいても、車両の駐車中は交通情報を受信することは困難で、イグニッションオンの直後では交通情報を反映した経路案内等ができない。
【０００７】
ＶＩＣＳでは交通情報の配信領域を拡大し、サーバ型システムではサーバの数を増大すれば問題が解消されるが、費用対効果を考えるとそのコストを負担することは現実的といえない。
【０００８】
本発明は、上記課題に鑑み、情報提供システムにかかるコストを増大することなく、走行開始時から情報を利用可能な車両用情報通信装置、ナビゲーション装置、情報配信システム及び情報配信サーバを提供することを目的とする。
【課題を解決するための手段】
【０００９】
上記課題に鑑み、本発明は、他車両及び路側装置から情報を受信する車両用情報通信装置において、車両の利用予定情報を記憶する車両利用予定情報記憶部と、路側装置の通信エリア外に駐車した状態で、利用予定情報が有する出発時刻の所定時間前に、他車両から前記情報を受信する車車間通信手段と、受信した情報を記憶する情報記憶部と、を有することを特徴とする。
【００１０】
本発明によれば、通信エリア外でも、車両の利用予定情報に基づき出発時刻の情報を受信できるので、出発時には最新の情報を運転者に提供することができる。
【００１１】
また、本発明の一形態において、車両利用予定情報記憶部に記憶された利用予定情報が所定時間以上先の出発時刻を有するか、又は、利用予定情報若しくは出発時刻が記憶されていない場合、車車間通信手段は、定期的に他車両から前記情報を受信する、ことを特徴とする。
【００１２】
本発明によれば、利用予定情報に主発時刻等がなくても定期的に情報を受信することで、一定の新しさが保たれた情報を、出発時に運転者に提供することができる。
【００１３】
また、本発明の一形態において、利用予定情報が目的地を有する場合、記車車間通信手段は、目的地までの経路の探索対象となる道路の情報を受信し、受信した情報に基づき目的地までの経路を探索する、ことを特徴とする。
【００１４】
本発明によれば、出発時には出発時に新しい例えば交通情報を用いて目的地までの経路を探索できる。
【００１５】
また、本発明の一形態において、情報は、リンク情報に対応づけた渋滞情報、旅行時間情報又は交通規制情報である、ことを特徴とする。
【００１６】
本発明によれば、渋滞情報等の交通情報を、通信エリア外の駐車中の車両が受信することができる。
【発明の効果】
【００１７】
情報提供システムにかかるコストを増大することなく、走行開始時から情報を利用可能な車両用情報通信装置、ナビゲーション装置、情報配信システム及び情報配信サーバを提供することができる。
【発明を実施するための最良の形態】
【００１８】
以下、本発明を実施するための最良の形態について、図面を参照しながら実施例を挙げて説明する。
【実施例１】
【００１９】
図１は、本実施例の交通情報配信システム１００の概略構成図を示す。道路には路側装置１１が設けられており、路側装置１１の通信エリアを通過した車両Ａ、Ｂは例えばＶＩＣＳ（Vehicle  Information  and  Communication  System）センタが生成した交通情報を受信している。また、車両Ａ、Ｂがサーバ１３による交通情報の配信サービスを契約している場合、車両Ａ、Ｂは移動体通信などを利用してサーバ１３と通信し、ネットワーク１２を介して交通情報を受信することができる。本実施例ではＶＩＣＳによる交通情報とサーバ１３による交通情報を区別せず、以下ではＶＩＣＳによる交通情報を例にして説明する。なお、ＶＩＣＳは路側装置１１から通信エリアに交通情報を配信するシステムの一例であり、配信の事業主体や交通情報の内容を限定するものではない。
【００２０】
車両Ａ、Ｂは路側装置１１から受信した交通情報を記憶しておき、車両Ａと車両Ｂが所定範囲内に接近すると車車間通信により互いに記憶している交通情報を送信する。車両Ａは車両Ｂから受信した交通情報が自車のものより新しければ自車の交通情報を更新し、車両Ｂは車両Ａから受信した交通情報が自車のものより新しければ自車の交通情報を更新する。
【００２１】
また、駐車中の車両Ｃであっても、車車間通信が可能な範囲に例えば車両Ｄが接近すれば車両Ｄから交通情報を受信することができる。しかしながら、交通情報は時間と共に変化するものであるためユーザが車両を利用する時間帯に近い交通情報のみ受信すればよい。
【００２２】
そこで、本実施例の交通情報配信システム１００では、例えば、車両Ｃは車両Ｃの車両利用予定情報に基づき出発時刻の所定時間前に車車間通信することで、駐車位置が路側装置１１の通信エリア外であっても車車間通信で交通情報を取得し、イグニッションオン時には交通情報を用いて経路探索することを可能とする。
【００２３】
また、車両Cは車両Cの車両利用予定情報に登録された目的地に従い、目的地までの経路探索に必要な交通情報を車車間通信で受信することができる。なお、車両の目的地に応じて選択的に交通情報を受信することは車両Cが走行しても（すなわち、車両A、B、Dでも）可能である。以下では車両Ａ〜Ｄを区別せず、単に車両という。
【００２４】
図２は、車載されたナビゲーション装置５０のブロック図を示す。ナビゲーション装置５０は、ＧＰＳ（Global  Positioning  System）受信機２１、車速センサ２２、ジャイロセンサ２３、地図ＤＢ（Ｄａｔａ  Ｂａｓｅ）２４、ＶＩＣＳ受信装置２５、ナビＥＣＵ（electronic  control  unit）２６、表示装置２７、スピーカ２８、入力装置２９、通信装置３０及び車車間通信装置３１を有するように構成される。
【００２５】
ＧＰＳ受信機２１は、地球の周りを周回する好ましくは４つ以上のＧＰＳ衛星を補足して、各ＧＰＳ衛星からの電波の到達時間を計算し、到達時間と光速ｃから各ＧＰＳ衛星までの距離を算出する。そして、それら複数の距離に基づき自車両の位置（緯度・経度・標高）を決定する。
【００２６】
車速センサ２２は、例えば、車両の各輪に備えられたロータの円周上に定間隔で設置された凸部が通過する際の磁束の変化をパルスとして計測して、単位時間あたりのパルス数に基づき各輪毎に車輪速を計測する。車輪速にタイヤの外径を乗じれば車速が得られる。
【００２７】
ジャイロセンサ２３は、例えば、マイクロマシニングで形成された震動片型ジャイロセンサであり、車両が路面に対しヨーイング方向又はピッチング方向に回転する時の角速度を検知して検知結果を積分することで角度、すなわち進行方向に変換する。このようにジャイロセンサ２３は３軸方向の進行方向を検出する。
【００２８】
地図ＤＢ２４には、道路網や交差点などの道路地図情報が、緯度・経度に対応づけて格納されている。地図ＤＢ２４は、実際の道路網に対応したノード(道路と道路が交差する点、例えば交差点)と、リンク(ノードとノードを接続する道路)とを対応づけたテーブル状のデータベースである。
【００２９】
ノードテーブルは、ノードの番号、座標、そのノードから流出するリンク数及びそれらのリンク番号を有する。また、リンクテーブルは、リンクの番号、リンクを構成する始点ノードと終点ノード、リンク長、ノードに対する方位を有する。ノード番号及びリンク番号は、互いに重複しないように定められており、ノード番号とリンク番号をそれぞれ辿ることで道路網を形成することができる。なお、地図ＤＢ２４には、各道路毎に一般道、高速道路等の道路種別、及び、駐車場、ガソリンスタンド、コンビニエンスストア等の施設情報が記憶されている。道路地図情報は、地図ＤＢ２４に記憶された状態で車両と共に出荷されていてもよいし、通信装置３０が所定のサーバから道路地図情報を受信して地図ＤＢ２４に格納してもよい。
【００３０】
ＶＩＣＳ受信装置２５は、ＶＩＣＳセンターが配信する交通情報を受信する。ＶＩＣＳセンターは、放送局がある都道府県及び約１００km先までの主に高速道路の交通情報を放送局から１０〜５０ｋｍのエリアにＦＭ多重放送により送信し、路側装置１１から約２００km先までの主に高速道路の交通情報やインターチェンジ周辺の交通情報を路側装置１１の前後の７０ｍ程度のエリアに電波ビーコンにより送信し、路側装置１１から前方約30kｍ、後方1kmの主に一般道路の交通情報を路側装置１１の前後の３〜５ｍ程度のエリアに光ビーコンにより送信している。
【００３１】
ＶＩＣＳ受信装置２５は、ＦＭ放送に多重された電波、電波ビーコン及び光ビーコンを復調し、ベースバンド信号に戻した後、信号処理して元のデジタル信号に復号することで、交通情報を受信する。交通情報は、例えば、ＶＩＣＳセンターが区分したＶＩＣＳリンクに対応づけられた、渋滞情報、リンク旅行時間、交通規制情報、駐車場情報、等である。
【００３２】
表示装置２７は液晶や有機ＥＬ等で構成され、道路地図や交通情報を表示するために用いられる。又、スピーカ２８は目的地までの経路や前方の交通規制等を音声出力する。
【００３３】
入力装置２９は、車両の乗員がナビゲーション装置５０を操作するためのユーザインターフェイスであって、例えば、押しボタン式のキーボード、乗員の発した音声を入力するマイク、表示装置２７と一体のタッチパネル等である。
【００３４】
通信装置３０は、携帯電話の基地局１４や無線ＬＡＮのアクセスポイントである基地局１４に接続し、サーバ１３から交通情報を受信する。サーバ１３は、例えばＴＣＰ（Transmission  Control  Protocol  ）/ＩＰ（Internet  Protocol）等のプロトコルに従い交通情報をパケットに分解すると共に各パケットに通信装置３０に付与されたアドレスを付加して携帯電話会社のサーバに送信する。携帯電話会社のサーバはアドレスに対応づけて記憶する識別情報に従い車両を検出し車両に最寄りの基地局１４から交通情報を送信する。通信装置３０は、搬送された電波からベースバンド信号を復調し、信号処理して元のデジタル信号に復号することで交通情報を受信する。なお、サーバ１３が提供する交通情報はＶＩＣＳによる交通情報とはフォーマットが異なるが、ナビゲーション装置５０にとって相互の対応関係は既知である。
【００３５】
車車間通信装置３１は、対向車、先行車、後続車等との間で車車間通信を行なう通信装置であり、例えば、半径数１０メートルから数１００メートルの範囲でのみ通信可能な狭域通信（ＤＳＲＣ；Dedicated  Short  Range  Communication）方式により、1対1又は1対Ｎのアドホックネットワークを実現して交通情報を送受信する。
【００３６】
ナビＥＣＵ２６は、ＣＰＵ、ＲＡＭ、メモリ、入出力インターフェイス及びクロックを有するコンピュータであって、ＣＰＵがプログラムを実行しまたＬＳＩ等によりナビゲーション装置５０を制御する。
【００３７】
ナビＥＣＵ２６はＧＰＳ受信機２１、車速センサ２２及びジャイロセンサ２３により現在位置を検出して、地図ＤＢ２４から現在位置周辺の道路地図を抽出し、道路地図に示した現在位置を表示装置２７に表示する。また、入力装置２９から目的地が入力された場合、ナビＥＣＵ２６は現在位置から目的地までの経路を例えばダイクストラ法を用いて探索する。ダイクストラ法では、リンク長や右左折、幅員、通行規制等をコストに置き換え、これらのコストの積算値が最も小さくなる経路を選択するが、交通情報を受信した場合、リンク旅行時間を用いて到着時間が最小となるように目的地までの経路を算出することができる。
【００３８】
図３は、本実施例におけるナビゲーション装置５０の機能ブロック図を示す。なお、図３において図２と同一構成部には同一の符号を付しその説明は省略する。ナビＥＣＵ２６は、ＬＳＩ又はＣＰＵがプログラムを実行することで実現されるスケジュール管理部４３、交通情報比較部４４、自車交通情報更新部４５、車両利用予定情報更新部４７及び経路探索部４６を有する。また、ナビＥＣＵ２６のメモリには車両利用予定情報記憶部４１及び自車交通情報記憶部４２が配置される。
【００３９】
本実施例のナビゲーション装置５０は、ユーザの車両利用予定情報を車両利用予定情報記憶部４１に記憶している。図４（ａ）は車両利用予定情報記憶部４１に記憶された車両利用予定情報の一例を示す。図４（ａ）の車両利用予定情報は、「出発年月日」「出発時刻」「目的地」「ユーザＩＤ」となっている。したがって、ナビゲーション装置５０は出発日時とその目的地を検出することができる。
【００４０】
車両利用予定情報は、例えばユーザが操作するＰＣ（パーソナルコンピュータ）や、携帯電話、ＰＤＡ（Personal  Digital  Assistant）等のユーザ端末から送信される。例えば、ユーザ端末はブラウザを起動してサーバ１３から受信したHTMLファイルを解析し、車両利用予定情報の入力ページをディスプレイに表示する。そして、ユーザが入力した「出発年月日」等をサーバ１３経由で車両に送信する。通信装置３０はそれを受信し、受信した車両利用予定情報を、車両利用予定情報更新部４７が車両利用予定情報記憶部４１に登録する。
【００４１】
また、ユーザが車両に乗車した際に、ユーザ端末に記憶された予定表をブルートゥースなどの近距離通信によりナビゲーション装置５０が取得して、車両利用予定情報更新部４７が予定表に基づき車両利用予定情報を抽出し、車両利用予定情報記憶部４１に登録してもよい。また、ユーザが車両に乗車した際、車両利用予定情報更新部４７が表示装置２７に車両利用予定情報の入力画面を表示し、入力装置２９からユーザが入力した車両利用予定情報を、車両利用予定情報記憶部４１に登録してもよい。
【００４２】
また、ユーザが通勤に車両を利用している場合、「出発年月日」「出発時刻」「目的地」はほぼ同じとなるので、車両利用予定情報更新部４７は車両の出発時刻と目的地を学習し、所定以上の頻度で同じ出発時刻及び目的地が対で検出される場合、ユーザの操作がなくても車両利用予定情報として車両利用予定情報記憶部４１に登録する。また、週末毎に行く目的地を登録しておいてもよい。車両利用予定情報記憶部４１に記憶された車両利用予定情報と実際の出発時刻や目的地に齟齬があっても、出発しないにも関わらず交通情報を受信するだけなので影響は少ない。
【００４３】
車車間通信による交通情報の受信のタイミングについて説明する。スケジュール管理部４３は、次のタイミングで車車間通信装置３１に交通情報の通信を要求する。
Ａ１．定期通信
Ａ２．次の出発時刻の所定時間前
Ａ１のように、駐車中の車両が定期的に車車間通信することで、車両利用予定情報記憶部４１に登録されていない車両利用予定情報があっても、定期通信の時間間隔よりは新しい交通情報を常に取得することができる。
【００４４】
また、Ａ２の「次の出発時刻の所定時間前」とは、車両利用予定情報記憶部４１に車両利用予定情報が登録されている場合に、現在時刻から直近に予定される出発時刻の所定時間前である。これにより出発時刻に近い時間帯の交通情報を受信することができる。所定時間は、例えば３０分〜１時間程度で、出発時刻までに車車間通信で交通情報を受信する時間を確保できる時間である。駐車場所の周辺の交通量に応じて可変としてもよい。
【００４５】
車車間通信装置３１が受信した交通情報、及び、ＶＩＣＳ受信装置２５が受信した交通情報は、自車交通情報記憶部４２に記憶される。なお、後述するように、車車間通信装置３１が受信した交通情報は、既に記憶されている交通情報よりも新しい場合のみ記憶される。
【００４６】
図４（ｂ）は自車交通情報記憶部４２に記憶された交通情報の一例を示す。交通情報は、ＶＩＣＳリンク毎の、渋滞情報（順調、混雑、順調）や通行止めなどの交通規制情報、リンクを走行する平均的な所要時間であるリンク旅行時間等であり、配信時刻に対応づけて記憶されている。
【００４７】
ＶＩＣＳ受信装置２５から交通情報を受信した場合はそれが最新と考えてよいので、受信した交通情報をそのまま自車交通情報記憶部４２に記憶する。同じエリアの交通情報が記憶されている場合は上書きすればよい。
【００４８】
そして、車車間通信装置３１が交通情報を受信した場合、自車交通情報更新部４５は、次のように交通情報を更新する。
Ｂ１．車両利用予定情報が車両利用予定情報記憶部４１に記憶されていない場合
→ｂ１１：自車交通情報記憶部４２に記憶された交通情報と比較し新しい交通情報、
→ｂ１２：自車交通情報記憶部４２に記憶されていないエリアの交通情報、
は全て受信して自車交通情報記憶部４２の交通情報を更新する。
Ｂ２．車両利用予定情報が車両利用予定情報記憶部４１に記憶されている場合
→ｂ２１：次回の車両利用予定情報における目的地までの経路に関係のある交通情報であって、かつ、自車交通情報記憶部４２に記憶された交通情報と比較して新しい交通情報、
を受信して自車交通情報記憶部４２の交通情報を更新する。
【００４９】
車両利用予定情報が記憶されていない定期通信の場合はＢ１の条件に一致するので、既に同じ位置の交通情報が記憶されていれば更新でき、記憶されてなければそのまま交通情報を記憶する。
【００５０】
また、車両利用予定情報が記憶されている場合、目的地に関係のある交通情報のうち最新の交通情報のみ受信して自車交通情報記憶部４２の交通情報を更新できる。なお、目的地に関係がある交通情報とは、目的地までの経路を探索する際に探索対象となる経路の交通情報である。
【００５１】
交通情報比較部４４は、車車間通信装置３１が交通情報を受信した場合、定期通信（Ｂ１）か車両利用予定情報に基づく通信（Ｂ２）かをスケジュール管理部４３に問い合わせ、Ｂ２の場合、目的地までの経路に関係のある交通情報か否かを、経路探索部４６の探索結果に基づき判定する。目的地までの経路に関係がある交通情報の場合その配信時刻と、自車交通情報記憶部４２に記憶されている交通情報の配信時刻とを比較し、車車間通信装置３１が受信した交通情報の方が新しい場合、自車交通情報更新部４５に更新命令を送出する。
【００５２】
したがって、駐車中の車両は、目的地までの最新の交通情報を保持することができ、イグニッションオンの直後に最新の交通情報を用いて目的地までの経路を探索することができる。車両利用予定情報が記憶されていない場合でも、定期的に広範囲の交通情報を更新するので、イグニッションオンの直後に充分に新しい交通情報を用いて目的地までの経路を探索することができる。
【００５３】
図５は、定期通信の場合に、ナビゲーション装置５０が車車間通信により交通情報を受信する手順を示すフローチャート図である。図５の手順は例えばイグニッションオフになるとスタートする。
【００５４】
スケジュール管理部４３は定期通信の時刻になると、ＶＩＣＳ受信装置２５がＶＩＣＳセンターが配信する交通情報を受信可能か否かを判定する（Ｓ１０）。受信できた場合（Ｓ１０のＹｅｓ）、ＶＩＣＳセンターが配信する交通情報で車両の交通情報を更新し（Ｓ５０）、図５の手順を終了してよいことになるが、駐車状態でＶＩＣＳセンターが配信する交通情報を受信できることは少ない。また、ＦＭ多重放送は交通情報の到達範囲が広いため、駐車状態でも交通情報の受信が可能である場合が多いが、ＦＭ多重放送と電波ビーコンは主に高速道路の交通情報を配信するものなので、ここでは一般道の交通情報を含む光ビーコンによる交通情報を受信できることが好ましい。
【００５５】
ＶＩＣＳセンターが配信する交通情報を受信できない場合（Ｓ１０のＹｅｓ）、スケジュール管理部４３は車車間通信装置３１に車車間通信を要求する。車車間通信装置３１は車車間通信の通信範囲から通信可能な他車両を検出して交通情報を受信する（Ｓ２０）。
【００５６】
車車間通信により他車両から交通情報を受信した場合、交通情報比較部４４は受信した交通情報が、既に自車交通情報記憶部４２に記憶されている交通情報と同じエリアか否かを判定する（Ｓ３０）。同じエリアか否かは例えばＶＩＣＳリンクを参照して判定する。
【００５７】
同じエリアの交通情報でない場合（Ｓ３０のＮｏ）、配信時刻を比較することなく、自車交通情報更部４５は車車間通信で受信した交通情報を自車交通情報記憶部４２に記憶させる（Ｓ６０）。
【００５８】
同じエリアの交通情報である場合（Ｓ３０のＹｅｓ）、交通情報比較部４４は車車間通信で受信した交通情報が既に自車交通情報記憶部４２に記憶されている交通情報よりも新しいか否かを判定する（Ｓ４０）。
【００５９】
新しい場合には（Ｓ４０のＹｅｓ）、自車交通情報更新部４５は他車両から受信した交通情報を自車交通情報記憶部４２に記憶し（Ｓ６０）、新しくない場合（Ｓ３０のＮｏ）、他車両から受信した交通情報を破棄する（Ｓ７０）。車車間通信装置３１は例えば、所定以上の数の他車両と車車間通信することが見込める所定時間、図５の手順を繰り返す。
【００６０】
図６は、次の出発時刻の所定時間前にナビゲーション装置５０が車車間通信により交通情報を受信する手順を示すフローチャート図である。図６の手順は例えばイグニッションオフになるとスタートする。
【００６１】
スケジュール管理部４３は車両利用予定情報記憶部４１を参照し、次の車両利用予定情報の出発時刻から所定時間内になるまで待機する（Ｓ１１０）。待機している間、定期通信の時刻になれば図５の手順で交通情報を受信することができる。
【００６２】
次の出発時刻から所定時間内になると（Ｓ１１０のＹｅｓ）、スケジュール管理部４３は車両利用予定情報に目的地が登録されているか否かを判定する（Ｓ１２０）。目的地がない場合（Ｓ１２０のＮｏ）、以降の手順は図５の定期通信の手順と同様であるので（Ｓ１００）、説明を省略する。
【００６３】
目的地が登録されている場合（Ｓ１２０のＹｅｓ）、経路探索部４６が目的地までの経路を探索する（Ｓ１３０）。これにより、目的地までの経路の探索対象となるリンクを抽出することができる。
【００６４】
ついで、スケジュール管理部４３はＶＩＣＳ受信装置２５により交通情報が受信可能か否かを判定し、受信可能であれば交通情報比較部４４は探索対象となる経路の交通情報を受信できたか否かを判定する（Ｓ１４０）。ここでは一般道の交通情報を含む光ビーコンによる交通情報を受信できることが好ましい。受信できた場合（Ｓ１４０のＹｅｓ）、ＶＩＣＳセンターが配信する交通情報で車両の交通情報を更新する（Ｓ１８０）。
【００６５】
ＶＩＣＳにより探索対象となる経路の交通情報を受信できない場合（Ｓ１４０のＹｅｓ）、スケジュール管理部４３は車車間通信装置３１に車車間通信を開始するよう要求し、車車間通信装置３１が車車間通信を開始する（Ｓ１５０）。車車間通信装置３１は車車間通信の通信範囲から通信可能な他車両を検出して交通情報を受信する。
【００６６】
ついで、交通情報比較部４４は車車間通信で受信した交通情報が目的地までの経路の探索対象となるリンクの交通情報か否かを判定する（Ｓ１６０）。目的地までの経路の探索対象となるリンクの交通情報でない場合（Ｓ１６０のＮｏ）、経路の探索に有効でないので交通情報比較部４４は該交通情報を破棄する（Ｓ２００）。
【００６７】
目的地までの経路の探索対象となるリンクの交通情報である場合（Ｓ１６０のＹｅｓ）、交通情報比較部４４は車車間通信で受信した交通情報が既に自車交通情報記憶部４２に記憶されている交通情報よりも新しいか否かを判定する（Ｓ１７０）。ステップＳ１７０で比較の対象となるのは、同じエリア（例えばＶＩＣＳリンク）の交通情報である。
【００６８】
そして、新しい場合には（Ｓ１７０のＹｅｓ）、自車交通情報更新部４５は他車両から受信した交通情報により自車交通情報記憶部４２の交通情報を更新し（Ｓ１８０）、新しくない場合（Ｓ１７０のＮｏ）、他車両から受信した交通情報を破棄する。車車間通信装置３１は例えば、所定以上の数の他車両と車車間通信することが見込める所定時間、又は、乗員が車両に乗車するまで図６の手順を繰り返す。
【００６９】
したがって、本実施例の交通情報配信システム１００によれば、車両の駐車位置がＶＩＣＳの提供エリアでなくても車車間通信により最新の交通情報を受信し、乗車時には最新の交通情報を利用して目的地までの経路を探索することができる。車両利用予定情報を登録していなくても駐車中に定期的に交通情報を更新することで、ほぼ最新のＶＩＣＳ交通情報を取得することができ、車両利用予定情報を登録してあれば目的地までの経路に必要な最新の交通情報を選択的に受信することができる。駐車中の車両はサーバ１３にアクセスする必要がないのでサーバ１３の負荷が増大することもない。
【実施例２】
【００７０】
実施例１では単体で駐車中の車両が走行中の他車両から車車間通信で交通情報を受信したが、多数の車両が集まる場所に交通情報再配信サーバ６０を設けることで、効率的に交通情報を再配信することができる。
【００７１】
図７は、本実施例の交通情報配信システム１００の概略構成図を示す。例えば、大型スーパやホームセンタの駐車場等に、所定の情報提供エリアに交通情報を配信する交通情報再配信サーバ６０が設置されている。大型スーパには周辺の各地から車両Ｂ１〜Ｂ３が買い物等のため集まるが、車両Ｂ１〜Ｂ３は大型スーパに到着するまでに路側装置１１Ａ〜１１ＣからＶＩＣＳセンターが配信する交通情報を受信している。
【００７２】
大型スーパに到着した車両Ｃ１〜Ｃ２は、自車両が受信した交通情報を交通情報再配信サーバ６０に登録するので、交通情報再配信サーバ６０には各エリアの最新の交通情報が登録されることになる。そして、所用を済ませた乗員が車両Ｘに乗車して大型スーパを出発する際、交通情報再配信サーバ６０から交通情報を受信することで、大型スーパで時間が経過していても最新の交通情報を用いて目的地までの経路を探索することができる。
【００７３】
図８は交通情報配信システム１００のブロック図を示す。交通情報再配信サーバ６０はＣＰＵ、ＲＡＭ、ＲＯＭ及びメモリ等を有するコンピュータである。なお、図８において図３と同一構成部には同一の符号を付しその説明は省略する。
【００７４】
車両Ｘは例えば路車間通信装置５１により交通情報再配信サーバ６０と通信する。路車間通信装置５１は、DSRC、無線ＬＡＮ等により比較的近距離の通信距離で通信する。路車間通信装置５１は、情報提供エリア（駐車場）の出入り口、さらに好ましくは駐車場の各駐車区画の周辺にもアンテナを設けられた交通情報再配信サーバ６０の路車間通信装置６１と通信する。
【００７５】
・到着時
車両Ｘが駐車場に到着した際、車両Ｘは路車間通信装置６１からの要求に応じて、自車交通情報記憶部４２に記憶されている交通情報を交通情報再配信サーバ６０に送信する。なお、本実施例で車両Ｘが交通情報再配信サーバ６０に送信する交通情報はＶＩＣＳから受信したもののみである。したがって、交通情報再配信サーバ６０は大型スーパに駐車する車両Ｘから最新の交通情報を収集することができる。
【００７６】
交通情報再配信サーバ６０の交通情報比較部６４は、車両Ｘから受信した交通情報が、すでに交通情報ＤＢ６５に記憶されている同じエリア（例えばＶＩＣＳリンク情報）の交通情報よりも新しいか否かを比較し、新しい場合、交通情報更新部６３は交通情報ＤＢ６５に記憶させる。
【００７７】
・出発時
車両Ｘが大型スーパに到着した際は、交通情報再配信サーバ６０は自動的に交通情報を収集したのに対し、出発時は車両Ｘが交通情報再配信サーバ６０に交通情報の配信を要求した場合に、交通情報再配信サーバ６０の交通情報提供部６２が車両Ｘに交通情報を配信する。これにより、車両Ｘと交通情報再配信サーバ６０が常に通信する必要がなくなり、交通情報再配信サーバ６０の負荷を低減できる。また、車両Ｘは最新の交通情報のみを受信することができる。交通情報提供部６２は、例えば他車両Ｃ１、Ｃ２から受信してから所定時間内の交通情報を車両Ｘに配信する。
【００７８】
車両Ｘによる交通情報再配信サーバ６０への交通情報の配信要求は、運転者の操作により行われてもよいし、車両Ｘがイグニッションオンに連動して配信要求を送信してもよい。交通情報比較部４４は、交通情報再配信サーバ６０から送信された交通情報が、自車交通情報記憶部４２に記憶されている同じエリア（例えばＶＩＣＳリンク情報）の交通情報よりも新しいか否かを比較し、新しい場合、自車交通情報更新部４５は自車交通情報記憶部４２に記憶させる。
【００７９】
したがって、車両Ｘは、大型スーパの駐車場がＶＩＣＳの提供エリアでなくても、出発前に最新の交通情報を利用して目的地までの経路を探索することができる。また、多くの車両が集まる場所なので、目的地の方向の交通情報を取得しやすい。
【００８０】
図９（ａ）は、交通情報再配信サーバ６０が交通情報を受信する手順のシーケンス図の一例を示す。路車間通信装置６１は車両Ｘが通信エリアに入ると交通情報の送信を要求する（Ｓ２１０）。車両Ｘは自車交通情報記憶部４２に記憶している交通情報を抽出し（Ｓ２２０）、交通情報再配信サーバ６０に送信する（Ｓ２３０）。抽出する交通情報は、例えば受信してから所定時間内又は通信可能な情報量に応じて新しいものである。
【００８１】
交通情報再配信サーバ６０の交通情報比較部６４は、車両Ｘから受信した交通情報が、交通情報ＤＢ６５に記憶されている同じエリア（例えばＶＩＣＳリンク情報）の交通情報よりも新しいか否かを比較し（Ｓ２４０）、新しい場合、交通情報更新部６３は交通情報ＤＢ６５に記憶させる（Ｓ２５０）。交通情報再配信サーバ６０は以上の処理を駐車する全ての車両Ｘに繰り返す。
【００８２】
図９（ｂ）は、交通情報再配信サーバ６０が交通情報を車両に再配信する手順を示すシーケンス図である。車両Ｘが出発前に例えばＩＧオンすると、車両Ｘの路車間通信装置５１は交通情報再配信サーバ６０に交通情報の配信を要求する（Ｓ３１０）。要求する交通情報は、例えば、目的地までの探索対象となる経路の交通情報であってもよいし、交通情報再配信サーバ６０が受信してか所定時間内の交通情報としてもよい。
【００８３】
交通情報再配信サーバ６０の交通情報提供部６２は、受信してから所定時間内の交通情報を交通情報ＤＢ６５から抽出して車両Ｘに配信する（Ｓ３２０）。車両Ｘの交通情報比較部４４は、交通情報再配信サーバ６０から受信した交通情報が、自車交通情報更新部４５に記憶されている同じエリア（例えばＶＩＣＳリンク情報）の交通情報よりも新しいか否かを比較し（Ｓ３３０）、新しい場合、自車交通情報更新部４５は自車交通情報記憶部４２に記憶させる（Ｓ３４０）。
【００８４】
本実施例の交通情報配信システム１００によれば、多数の車両が集まる場所に交通情報再配信サーバ６０を設けておくことで、その場所がＶＩＣＳの提供エリアでなくても、車両は最新の交通情報を受信し、乗車時には最新の交通情報を利用して目的地までの経路を探索することができる。多くの車両が集まる場所ほど、効率的に交通情報を収集・再配信することができる。
【図面の簡単な説明】
【００８５】
【図１】交通情報配信システムの概略構成図である（実施例１）。
【図２】車載されたナビゲーション装置のブロック図の一例である。
【図３】ナビゲーション装置の機能ブロック図の一例である。
【図４】車両利用予定情報記憶部に記憶された車両利用予定情報、自車交通情報記憶部に記憶された交通情報の一例を示す図である。
【図５】定期通信の場合に、ナビゲーション装置が車車間通信により交通情報を受信する手順を示すフローチャート図である。
【図６】次の出発時刻の所定時間前にナビゲーション装置が車車間通信により交通情報を受信する手順を示すフローチャート図である。
【図７】交通情報配信システムの概略構成図である（実施例２）。
【図８】交通情報配信システムのブロック図の一例である。
【図９】交通情報再配信サーバが交通情報を受信する手順、交通情報再配信サーバが交通情報を車両に再配信する手順を示すシーケンス図である。
【符号の説明】
【００８６】
１１        路側装置
２５        ＶＩＣＳ受信装置
２６        ナビＥＣＵ
３１        車車間通信装置
４１        車両利用予定情報記憶部
４２        自車交通情報記憶部
４３        スケジュール管理部
４４        交通情報比較部
４５        自車交通情報更新部
４６        経路探索部
５０        ナビゲーション装置
６０        交通情報再配信サーバ
１００      交通情報配信システム
【図１】
2009116579.tif 000003
【図２】
2009116579.tif 000004
【図３】
2009116579.tif 000005
【図４】
2009116579.tif 000006
【図５】
2009116579.tif 000007
【図６】
2009116579.tif 000008
【図７】
2009116579.tif 000009
【図８】
2009116579.tif 000010
【図９】
2009116579.tif 000011